(57)【特許請求の範囲】
【請求項１】
背凭れ部内を上下昇降可能なマッサージ機構において、
揉みや叩きのマッサージ動作を伝達する第１アームと、
被施療者の身体の起伏に沿って揺動する第２アームと、を有し、
前記第２アームは、
前記第１アームに第一揺動軸を介して身体の起伏に沿って揺動可能に支持された第一施療子支持体と、
前記第一施療子支持体に第二揺動軸を介して揺動可能に支持された第二施療子支持体と、
前記第二施療子支持体の上部と下部に位置する施療子と、
前記第二施療子支持体を第二揺動軸を中心に揺動させて、被施療者に対して進退出させる強弱調整機構を有していることを特徴とするマッサージ機構。
【請求項２】
前記強弱調整機構は、
前記第二施療子支持体の下部に設けられた第一施療子と前記第二施療子支持体の上部に設けられた第二施療子の相対的な距離を保持した状態で、第二施療子支持体を動作させて強弱調整を行うことを特徴とする請求項１に記載のマッサージ機構。
【請求項３】
前記第一施療子支持体は、
前記強弱調整機構を取付ける第一取付部と、
前記第二施療子支持体と、前記第一施療子を同軸上に設けた前記第二揺動軸とを有しており、
前記第一取付部に設けられた強弱調整機構は、前記第二施療子支持体を被施療者に対して進退出させることを特徴とする請求項２に記載のマッサージ機構。
【請求項４】
前記強弱調整機構は、エアセルで構成されていることを特徴とする請求項１〜３のいずれかに記載のマッサージ機構。
【請求項５】
前記強弱調整機構は、前記エアセルに流入流出するエアを減少させる絞りを設けていることを特徴とする請求項４に記載のマッサージ機構。
【請求項６】
前記マッサージ機構は、背凭れ部と座部を有するマッサージ機に設けられており、
前記マッサージ機構は、背凭れ部内を昇降可能なように、昇降手段を有していることを特徴とする請求項１〜５のいずれかに記載のマッサージ機構。
【請求項７】
前記マッサージ機は、制御部を有しており、
前記制御部は、
前記施療子を第１施療位置と第２施療位置との間を移動させる第１プログラムと、
前記強弱調整機構を第１プログラムに合わせて動作させる第２プログラムを有しており、
前記第２プログラムは、前記第１プログラムに合わせて徐々に被施療者に対して施療子を進出させる第一動作ステップを含むプログラムであることを特徴とする請求項６に記載のマッサージ機。
【請求項８】
前記マッサージ機構は、左右に夫々第１アームと第２アームを有しており、
前記第１プログラムの第１施療位置は、前記左右の第２アームに設けられた施療子同士が近接した位置であって、前記第２施療位置は、前記左右の第２アームに設けられた施療子同士が離反した位置であり、
前記第２プログラムは、前記第１プログラムに合わせて徐々に被施療者に対して左右の施療子を進出させる第一動作ステップを含むプログラムであることを特徴とする請求項７に記載のマッサージ機。
【請求項９】
前記第２プログラムは、
前記第一動作ステップと、
被施療者に対して左右の施療子を進出させた状態を維持したまま、第１プログラムを実行する第二動作ステップを含むプログラムであることを特徴とする請求項７又は８に記載のマッサージ機。
【請求項１０】
前記第２プログラムは、
前記第一動作ステップと、
前記第１プログラムを一時停止させ、被施療者に対して左右の施療子を進出させた状態を維持する第二動作ステップを含むプログラムであることを特徴とする請求項７又は８に記載のマッサージ機。
【発明の詳細な説明】
【技術分野】
【０００１】
本発明は、マッサージ機の強弱調整に関するものである。
【背景技術】
【０００２】
例えば、特許文献１に記載されているように、昇降機構に取り付けられたベースフレームの前面に、上下方向の中央部がパンタグラフ状に支持された揺動可能な揺動板を設け、この揺動板の前面の上半部および下半部に、それぞれ左側と右側において枢着支持されてそれぞれが反対方向に角度回動する枠部材を設けてこの枠部材の先端部にそれぞれ揉み体を支持させ、ベースフレームと揺動板の上下に第１駆動手段を配設するとともに、上記各揉み体の下方にそれぞれ第２駆動手段を配設したマッサージ機が知られている。
また、特許文献２に記載されているように、使用者の身体をマッサージする施療子と、この施療子をマッサージ動作させる駆動ユニットとが備えられているマッサージ機において、前記駆動ユニットが、使用者側に出退移動自在に支持され、使用者に対する施療子の突出量を調整すべく駆動ユニットを使用者側へ出退移動して任意の出退位置で保持可能な出退駆動部が具備され、前記出退駆動部は、空気の供給・排出によって膨張・収縮するエアセルを有し、その膨張・収縮によって前記駆動ユニットを出退移動して任意の出退位置で保持可能に構成されていることを特徴とするマッサージ機が知られている。
【先行技術文献】
【特許文献】
【０００３】
【特許文献１】特開平１１−１１３９９３号公報
【特許文献２】特開２００１−２０４７７８号公報
【発明の概要】
【発明が解決しようとする課題】
【０００４】
特許文献１に示すようなマッサージ機は、エアによってマッサージを行うため、緩慢で大味なマッサージとなるうえ、多彩なマッサージ動作が行えないという問題点があった。
また、特許文献２に示すようなマッサージ機は、駆動ユニットを出退移動させるために、エアセルで構成された出退駆動部が設けられており、前記出退駆動部を動作させることで駆動ユニットを使用者側へ出退移動させるものである。また、駆動ユニットは、揉み動作軸及び叩き動作軸によって保持された左右方向（使用者の身体の幅方向）一対の駆動アームと、各駆動アームの先端部に連結された支持アームを有して構成され、該支持アームの上下両端部に、左右方向の支持軸を介して回転自在にローラー状の施療子が取り付けられた構成となっている。上記のような構成の駆動ユニットは、揉み動作や叩き動作を行なうために部品が非常に多く重量があるため、大型化し使用者側へ出退移動するのに、時間がかってしまうという問題があった。また、出退駆動部は駆動ユニットの背部に設けられるので、マッサージ機の厚みが増してしまうという問題点があった。
【０００５】
本発明は、このような実情に鑑みてなされたものであって、多彩なマッサージ動作が可能であり、出退駆動部を小さくすることが可能であって、使用者側へ進退移動を早くし、厚みの少ないマッサージ機を提供することを目的とする。
【課題を解決するための手段】
【０００６】
背凭れ部内を上下昇降可能なマッサージ機構において、揉みや叩きのマッサージ動作を伝達する第１アームと、被施療者の身体の起伏に沿って揺動する第２アームと、を有し、前記第２アームは、前記第１アームに第一揺動軸を介して身体の起伏に沿って揺動可能に支持された第一施療子支持体と、前記第一施療子支持体に第二揺動軸を介して揺動可能に支持された第二施療子支持体と、前記第二施療子支持体の上部と下部に位置する施療子と、前記第二施療子支持体を第二揺動軸を中心に揺動させて、被施療者に対して進退出させる強弱調整機構を有している。
このように強弱調整機構をアームに備えることで、アームのみを押出すため、応答速度の速い強弱調整を行うことができる。
また、施療子が第二施療子支持体の上部と下部に設けられているので、第二施療子支持体を強弱機構によって進退出させても、施療子同士の距離が変更されないので、同一種類のマッサージ動作を強弱調整できるようになる。
【０００７】
また、このように構成されることで、強弱調整機構は、第２アームの第二施療子支持体を動作させることができ、駆動ユニットごと前後に移動させる手法に比べて応答速度の速い強弱調整を行うことができる。
【０００８】
また、このような構成とすることで、第一揺動軸回りにアームを揺動させて身体の起伏に沿わせた状態で、強弱調整機構によって第二施療子支持体を動作させて強弱を変更することが可能となっている。
【０００９】
また、前記強弱調整機構は、前記第二施療子支持体の下部に設けられた第一施療子と前記第二施療子支持体の上部に設けられた第二施療子の相対的な距離を保持した状態で、第二施療子支持体を動作させて強弱調整を行うことを特徴とするが好ましい。
第一施療子と第二施療子の相対的な距離を変更するとマッサージ動作が変更される（第一施療子と第二施療子の接近及び離間によって掴み動作になる）ため、第一施療子と第二施療子の相対的な距離を変更しないことで、マッサージ動作を変更せずに強弱を調整できる。
【００１０】
また、前記第一施療子支持体は、前記強弱調整機構を取付ける第一取付部と、前記第二施療子支持体と、前記第一施療子を同軸上に設けた前記第二揺動軸とを有しており、前記第一取付部に設けられた強弱調整機構は、前記第二施療子支持体を被施療者に対して進退出させることが好ましい。
このような構成とすることで、強弱調整機構の取付を可能とし、第二施療子支持体の施療子を被施療者の身体に進退出させることができる。
【００１１】
また、前記強弱調整機構は、エアセルで構成されていることが好ましい。強弱調整機構をエアセルとすることで、強弱調整機構の軽量化が図れる。また、部品点数を少なくすることができる。
【００１２】
また、前記強弱調整機構は、前記エアセルに流入流出するエアを減少させる絞りを設けていることが好ましい。
第２アームに設けられた強弱調整機構のエアセルは、アームに設けることが可能なようにサイズの小さいエアセルを使用している。小さいエアセルは、エアの流出入が非常に早く、短時間でエアセルの膨張収縮を行うことができる。しかし、急激な強弱調整は、被施療者を不快にさせることがあり、快適な強弱調整を行うために絞りを設けて、エアの流出入を制限して、強弱調整を行っている。
【００１３】
また、前記マッサージ機構は、背凭れ部と座部を有するマッサージ機に設けられており、前記マッサージ機構は、背凭れ部内を昇降可能なように、昇降機構を有していることが好ましい。
このように構成することで、マッサージ機のマッサージ機構として使用可能となる。
【００１４】
また、前記マッサージ機は、制御部を有しており、前記制御部は、前記施療子を第１施療位置と第２施療位置との間を移動させる第１プログラムと、前記強弱調整機構を第１プログラムに合わせて動作させる第２プログラムを有しており、第２プログラムは、前記第１プログラムに合わせて徐々に被施療者に対して施療子を進出させる第一動作ステップを含むプログラムであることを特徴とする。
このような強弱調整機構のプログラムを設けることで、指圧マッサージを行ないながら、他のマッサージを行うことができるので、マッサージの手法が増え、バリエーションに富んだマッサージを行うことができる。
【００１５】
また、前記マッサージ機は、左右に夫々第１アームと第２アームを有しており、前記第１プログラムの第１施療位置は、前記左右の第２アームに設けられた施療子同士が近接した位置であって、前記第２施療位置は、前記左右の第２アームに設けられた施療子同士が離反した位置であり、前記第２プログラムは、前記第１プログラムに合わせて徐々に被施療者に対して左右の施療子を進出させる第一動作ステップを含むプログラムであることを特徴とする。
このような強弱調整機構のプログラムを設けることで、指圧マッサージを行ないながら、他のマッサージを行うことができる。例えば、被施療者の体側から背骨にかけて、指圧マッサージを行いながら、揉みマッサージを行うことができ、マッサージの手法が増え、バリエーションに富んだマッサージを行うことができる。また、第１プログラムと第２プログラムによって、被施療者の背面に対して略垂直方向の移動成分に加えて、略左右方向の移動成分も加わることで、斜め方向に進出することとなる。例えば、施療子の動作が近接方向であった場合、斜め方向の進出動作で被施療者に施療を行うと、施療箇所付近の肉を寄せながら施療を行うことが可能となり、効果的なマッサージが行える。
【００１６】
また、前記第２プログラムは、前記第一動作ステップと、被施療者に対して左右の施療子を進出させた状態を維持したまま、第１プログラムを実行する第二ステップを含むプログラムであることを特徴とする。
このような強弱調整機構のプログラムを設けることで、指圧マッサージを行ないながら、他のマッサージを行うことができるので、マッサージの手法が増え、バリエーションに富んだマッサージを行うことができる。
【００１７】
また、前記第２プログラムは、前記第一動作ステップと、前記第１プログラムを一時停止させ、被施療者に対して左右の施療子を進出させた状態を維持する第二動作ステップを含むプログラムであることを特徴とする。
このような強弱調整機構のプログラムを設けることで、指圧マッサージを行ないながら、他のマッサージを行うことができるので、マッサージの手法が増え、バリエーションに富んだマッサージを行うことができる。
【発明の効果】
【００１８】
被施療者に対して施療子を進退出させる強弱調整機構を小型化し、強弱調整の応答速度を早くし、厚みの少ないマッサージ機を提供することを目的とする。
【図面の簡単な説明】
【００１９】
【図１】本発明の実施形態に係るマッサージ機を示す斜視図である。
【図２】本発明の実施形態に係るマッサージ機のエア施療部の配置を示す図である。
【図３】本発明の実施形態に係るマッサージ機を示すブロック図である。
【図４】本発明の実施形態に係るマッサージ機構を示す図である。
【図５】本発明の実施形態に係るマッサージ機構のアームを示す図である。
【図６】本発明の実施形態に係るマッサージ機構の強弱調整機構を示す図である。
【図７】本発明の実施形態に係るマッサージ機の動作を示す図である。
【図８】本発明の実施形態に係るマッサージ機の動作を示す図である。
【図９】本発明の別実施形態に係るマッサージ機構の強弱調整機構を示す図である。
【図１０】本発明の別実施形態に係るマッサージ機構の強弱調整機構を示す図である。
【発明を実施するための形態】
【００２０】
以下、本発明の実施の形態を図面を参照して説明する。
図１のマッサージ機１は、本発明の実施形態に係る斜視図である。
なお、以下の説明で用いる方向の概念は、起立状態にあるマッサージ機１に着座した被施療者から見たときの方向の概念と一致するものとし、左手側が「左」であり、右手側が「右」であり、頭部側が「上」であり、腰部側が「下」であり、その他の場合は適宜説明するものとする。
図１の椅子型マッサージ機１は、被施療者の背中を支持する背凭れ部２と、被施療者が着座する座部３と、脹脛と足を支持するフットレスト４を有している。
図２の椅子型マッサージ機１は、本発明の実施形態に係る椅子型マッサージ機１を簡略化しエア施療部の配置を示すものである。
図３の椅子型マッサージ機１は、本発明の実施形態に係る椅子型マッサージ機１のブロック図である。
【００２１】
図１に示す椅子型マッサージ機１の背凭れ部２には、マッサージ機構６が背凭れ部２内を上下昇降自在に設けられており、更に図２に示す様に背凭れ部２には、後述する座部３の下方にある給排気装置３２によって動作するエア施療部を、被施療者の肩にあたる部分に左右一対設けられており、被施療者の腰にあたる部分に左右一対設けられている。
肩部の左右一対の背裏エアセルＬ３０２ａ，背裏エアセルＲ３０２ｂと腰部の左右一対の腰エアセルＬ３０３ａ，腰エアセルＲ３０３ｂは、背凭れ部２の幅方向の中央側に回動支点を有している。
背凭れ部２には、被施療者の頭部を支持する枕部を有していることが好ましい。
また、背凭れ部２は、後述する座部３の端部を回動支点にリクライニング可能に設けられている。
【００２２】
前記座部３には、マッサージ動作の制御を行う制御部３１と、各所に配置されたエア施療部にエアを給排気する給排気装置３２と、マッサージ機１の動作を操作する操作部３３と、前記背凭れ部２をリクライニングさせるアクチュエータ３４と、後述するフットレスト４をリクライニングさせるアクチュエータ３５とを備えている。
また、被施療者の臀部側の端部に背凭れ部２の回動支点が設けられ、被施療者の膝部側の端部にフットレスト４の回動支点が設けられている。
また、座部３の座面には、被施療者の臀部を左右から押圧又は押し上げることが可能な座エアセルＬ３０７，座エアセルＲ３０８を有しており、被施療者の膝側には、膝寄りの大腿部を背面から押圧する座エアセルＡ３０９を有している。
【００２３】
座部３の両側面には、肘掛け部５が設けられており、前記肘掛け部５は、座部３と背凭れ部２に渡って取り付けられており、被施療者の手先部，前腕部，上腕部までを支持できるようになっている。
また、肘掛け部５は、被施療者の手先部と前腕部と上腕部の側方に壁を設け、更に手先部と前腕部の上方にまで、壁を延設している。
前記肘掛け部５は、被施療者の手先部を施療する手エアセルＬＡ３０５ａ，手エアセルＬＢ３０５ｂ，手エアセルＲＡ３０６ａ，手エアセルＲＢ３０６ｂと、被施療者の前腕部を施療する前腕エアセルＬＡ３０５ｃ，前腕エアセルＬＢ３０５ｄ，前腕エアセルＲＡ３０６ｃ，前腕エアセルＲＢ３０６ｄと、被施療者の上腕部や肩部を施療する肩エアセルＬ３０４ａ，肩エアセルＲ３０４ｂが設けられている。
左側の肘掛け部５にある手先部と前腕部を支持する支持面上に手エアセルＬＡ３０５ａと前腕エアセルＬＡ３０５ｃが設けられ、前記支持面に対向し、前記支持面の上方にまで延設された側壁に被施療者の手先部を押圧する手エアセルＬＢ３０５ｂと前腕部を押圧する前腕エアセルＬＢ３０５ｄが設けられており、上腕部の側壁には、上腕や肩を施療する肩エアセルＬ３０４ａが設けられている。右側の肘掛け部５は、左側の肘掛け部５と同じ構成になっているので、説明は省略する。
肩エアセルＬ３０４ａ，肩エアセルＲ３０４ｂは、被施療者の上腕や肩を横方向又は前方向からも押圧するエアセルが設けられており、背凭れ部２に設けられた背裏エアセルＬ３０２ａ，背裏エアセルＲ３０２ｂとで、被施療者の上腕や肩を挟むように押圧できるように設けられている。
上腕部の肩エアセルＬ３０４ａ，肩エアセルＲ３０４ｂのエアセルの回動支点は、背凭れ部２側に設けられている。
また、上述の実施例では、上腕の肩エアセルＬ３０４ａ，肩エアセルＲ３０４ｂは、肘掛け部５に設けられているが、背凭れ部２の側面に直接取付けて、背凭れ部２の側方から突出して設けられていてもよい。
【００２４】
前記肘掛け部５は、背凭れ部２のリクライニングに追従して傾動可能に設けられている。肘掛け部５は、背凭れ部２と座部３にそれぞれ固定されており、座部３側の固定部には、スライド溝（図示せず）が設けられており、背凭れ部２のリクライニングよって、スライド溝（図示せず）上を移動して、リクライニングに追従することができる。
このように肘掛け部５を、背凭れ部２のリクライニングに追従させることで、被施療者を適正な姿勢で保持、施療することが可能となる。
【００２５】
フットレスト４は、脹脛を施療する脚施療部４１と、足首から足先までを施療する足施療部４２とを有している。前記脚施療部４１と前記足施療部４２は、スライドするフレーム（図示せず）を介して繋がれており、被施療者の足の長さに合わせて、脚施療部４１と足施療部４２の位置を調整することが可能である。
前記フレーム（図示せず）の端部は、座部３に連結されており、回動自在となっている。前記座部３は、フットレスト４を上下方向に回動させるアクチュエータ３５を有しており、フットレスト４を上下方向にリクライニングさせることが可能となっている。
【００２６】
前記脚施療部４１は、脚を保持できるように左右に凹部４３を有している。脚施療部４１の凹部４３は左右で同じ構成となっているので、左側の凹部４３を例にとって説明する。
前記凹部の両側壁部には、対向して設けられた一対のエアセル（脹脛エアセルＬＡ３１０ａ，脹脛エアセルＬＢ３１０ｂ）が設けられており、脚の両側面を押圧する。
前記凹部の両側壁部の間にある底面部には、脹脛の背面を押圧する脹脛裏エアセルＬ３１１ａが設けられている。
【００２７】
前記足施療部４２は、足を保持できるように左右に凹部４６を有しており、前記凹部の両側壁部は、足先から足首に沿って設けられている。足施療部４２の凹部４６は左右で同じ構成となっているので、左側の凹部４６を例にとって説明する。
前記足首部の凹部４６は、両側壁部に、対向して設けられた一対の足首エアセルＬＡ３１１ｃ，足首エアセルＬＢ３１１ｄが設けられており、足首を両側面から押圧する。
前記足先部の凹部４６は、両側壁部に、対向して設けられた一対の足先エアセルＬＡ３１０ｅ，足先エアセルＬＢ３１０ｆが設けられており、前記両側壁部の間にある底面部には、足裏を押圧する足裏エアセルＬ３１１ｇが設けられている。
【００２８】
前記座部３に設けられた制御部３１は、操作部３３からの信号を受け、背凭れ部２をリクライニングさせるアクチュエータ３４、フットレスト４をリクライニングさせるアクチュエータ３５、マッサージ機構６を昇降させる昇降用モータ６１、マッサージ機構６に揉みマッサージ動作を行わせる揉みモータ６２、マッサージ機構６に叩きマッサージ動作を行なわせる叩きモータ６３、各エア施療部にエアを給排する給排気装置３２を駆動させる。
また、給排気装置３２は、電磁弁イ〜ヌを有しており、各電磁弁は、ポートが開かれるとエアセルにエアを給排する。なお、給排気装置３２と各電磁弁と各エアセルとは配管でつながれている。
【００２９】
電磁弁イ３６ａは、後述するマッサージ機構６の強弱調整機構９０の押出しエアセルＬ３０１ａ，押出しエアセルＲ３０１ｂへエアを給排気する電磁弁である。電磁弁イ３６ａと強弱調整機構９０の押出しエアセルＬ３０１ａ，押出しエアセルＲ３０１ｂとの途中には、絞り３７ａが設けられている。また、押出しエアセルＬ３０１ａと押出しエアセルＲ３０１ｂは同期しており、同じタイミングで膨張収縮を行う。
後述するが、押出しエアセルＬ３０１ａと押出しエアセルＲ３０１ｂを膨張させることで、被施療者に向かって施療子８１を突出させ、強いマッサージを行うことが可能である。
本実施例では、上側の施療子８１ｂを突出させているが、下側の施療子８１ａを突出させていてもよい。
【００３０】
電磁弁ロ３６ｂは、背凭れ部２の肩部分に設けられた背裏エアセルＬ３０２ａと背裏エアセルＲ３０２ｂにエアを給排気する電磁弁である。背裏エアセルＬ３０２ａと背裏エアセルＲ３０２ｂは同期しており、同じタイミングで膨張収縮を行う。また、背裏エアセルＬ３０２ａ，背裏エアセルＲ３０２ｂと後述する電磁弁二３６ｄを駆動させて、肩エアセルＬ３０４ａ，肩エアセルＲ３０４ｂを膨張させると、被施療者の上腕部と肩部を挟んで押圧することが可能である。
【００３１】
電磁弁ハ３６ｃは、背凭れ部２の腰部分に設けられた腰エアセルＬ３０３ａと腰エアセルＲ３０３ｂにエアを給排気する電磁弁である。腰エアセルＬ３０３ａと腰エアセルＲ３０３ｂは、同期しており、同じタイミングで膨張収縮を行う。また、前記腰エアセルＬ３０３ａと腰エアセルＲ３０３ｂを膨張させることで、被施療者の腰で固定保持することが可能である。
【００３２】
電磁弁二３６ｄは、肘掛け部５の上腕部分に設けられた肩エアセルＬ３０４ａと肩エアセルＲ３０４ｂにエアを給排気する電磁弁である。肩エアセルＬ３０４ａと肩エアセルＲ３０４ｂは同期しており、同じタイミングで膨張収縮を行う。
前述の通り、背裏エアセルＬ３０２ａ，背裏エアセルＲ３０２ｂと肩エアセルＬ３０４ａと肩エアセルＲ３０４ｂを膨張させることで、被施療者の上腕部と肩部を挟んで押圧することが可能である。
【００３３】
電磁弁ホ３６ｅ及び電磁弁へ３６ｆについては、左右の配置の違いはあるが、同じ構成なので、電磁弁ホ３６ｅを例に説明を行う。
電磁弁ホ３６ｅは、肘掛け部５に設けられた手エアセルＬＡ３０５ａ、手エアセルＬＢ３０５ｂと前腕エアセルＬＡ３０５ｃと前腕エアセルＬＢ３０５ｄに給排気する電磁弁である。前腕エアセルＬＡ３０５ｃと前腕エアセルＬＢ３０５ｄとの途中には、絞り３７ｂが設けられている。前腕エアセルに絞り３７ｂが設けられているのは手エアセルＬＡ３０５ａと手エアセルＬＢ３０５ｂよりも前腕エアセルＬＡ３０５ｃと前腕エアセルＬＢ３０５ｄの膨張を遅らせて施療のタイミングをずらすためである。
また、電磁弁ホ３６ｅと電磁弁へ３６ｆを同時に膨張させずに片方ずつ膨張させている。これは、両手腕を同時に施療すると、緊急時にマッサージ機１から脱出するのが困難になるため、片方ずつ電磁弁を操作している。
【００３４】
電磁弁ト３６ｇ及び電磁弁チ３６ｈについては、左右の配置の違いはあるが、同じ構成なので、電磁弁ト３６ｇを例に説明を行う。
電磁弁ト３６ｇは、座部３に設けられ、被施療者の臀部側にある座エアセルＬ３０７にエアを給排気する電磁弁である。電磁弁ト３６ｇと電磁弁チ３６ｈは夫々独立して動作させることが可能であるため、臀部の左右を抑えて押圧したり、左右交互に膨張させてストレッチ動作が行える。
【００３５】
電磁弁リ３６ｉは、座部３に設けられ、被施療者の膝寄りの大腿部を背面から押圧する座エアセルＡ３０９を給排気するための電磁弁である。座エアセルＡ３０９を膨張させることで、被施療者の膝部分を押し上げることができる。
【００３６】
電磁弁ヌ３６ｊは、脚施療部４１の脹脛エアセルＬＡ３１０ａ，脹脛エアセルＬＢ３１０ｂ，脹脛エアセルＲＡ３１０ｃ，脹脛エアセルＲＢ３１０ｄと足施療部の足先エアセルＬＡ３１０ｅ，足先エアセルＬＢ３１０ｆ，足先エアセルＲＡ３１０ｇ，足先エアセルＲＢ３１０ｈにエアを給排気する電磁弁である。
脚施療部４１の脹脛エアセルＬＡ３１０ａ，脹脛エアセルＬＢ３１０ｂ，脹脛エアセルＲＡ３１０ｃ，脹脛エアセルＲＢ３１０ｄと足施療部の足先エアセルＬＡ３１０ｅ，足先エアセルＬＢ３１０ｆ，足先エアセルＲＡ３１０ｇ，足先エアセルＲＢ３１０ｈは、同期しており、同じタイミングで膨張収縮を行う。この様に膨張させることで、施療にバリエーションを持たすことが可能である。
【００３７】
電磁弁ル３６ｋは、脚施療部４１の脹脛裏エアセルＬ３１１ａ、脹脛裏エアセルＲ３１１ｂと、足施療部４３の足首エアセルＬＡ３１１ｃ，足首エアセルＬＢ３１１ｄ，足首エアセルＲＡ３１１ｅ，足首エアセルＲＢ３１１ｆ，足裏エアセルＬ３１１ｇ，足裏エアセルＲ３１１ｈにエアを給排気する電磁弁である。
脚施療部４１の脹脛裏エアセルＬ３１１ａ、脹脛裏エアセルＲ３１１ｂと、足施療部４２の足首エアセルＬＡ３１１ｃ，足首エアセルＬＢ３１１ｄ，足首エアセルＲＡ３１１ｅ，足首エアセルＲＢ３１１ｆ，足裏エアセルＬ３１１ｇ，足裏エアセルＲ３１１ｈは、同期しており、同じタイミングで膨張収縮を行う。
この様に膨張させることで、施療にバリエーションを持たすことが可能である。
【００３８】
なお、これらの電磁弁イ〜ルは、複数の電磁弁を組合わせて動作させることができ、組合わせることで複雑な施療を可能としている。
例えば、電磁弁イ３６ａを動作させた状態で、マッサージ機構６を昇降させると、身体へ施療子８１を突出させた状態でマッサージ機構６が昇降するため、背筋を伸ばすようなマッサージが行える。
また、電磁弁ハ３６ｃ、電磁弁ト３６ｇ、電磁弁チ３６ｈを駆動させると、腰部を固定し、臀部が浮いた状態とすることができる。この状態で揉みマッサージや叩きマッサージを行うことで、椅子型マッサージ機１に座っていては施療できない臀部から腰にかけてマッサージすることができる。
【００３９】
図４のマッサージ機構６は、本発明のマッサージ機構６を示している。
図４のマッサージ機構６は、施療子８１を有する第２アーム８０、第２アーム８０にマッサージ動作を伝達する第１アーム７０と、マッサージ動作を行わせる駆動源６２，６３と、前記駆動源６２，６３を収容している枠体１００とを有している。
【００４０】
前記マッサージ機構６の枠体１００の中には、揉み動作を行なう駆動源６２と、叩き動作を行なう駆動源６３と、前記駆動源６２，６３からの駆動力を減速する減速機構（図示せず）と、前記減速機構（図示せず）に連結され、揉み動作を行なう揉軸７１と、叩き動作を行なう叩軸７６（図５，図６参照）とが設けられている。
前記揉軸７１は、軸の途中で所定の角度で曲げられた偏角部（図示せず）を有しており、前記偏角部（図示せず）に後述する第１アーム７０が設けられており、揉軸７１が回転することによって、偏角部（図示せず）に設けられた後述する第１アーム７０に略円状の揉みマッサージ動作を伝達する。
前記叩軸７６は、軸の途中で偏心されクランク部（図示せず）を有しており、前記クランク部（図示せず）には、クランクロッド７６ａが設けられており、前記クランクロッド７６ａが後述する第１アーム７０に連結されており、叩軸７６が回転することによって、略円状の叩きマッサージ動作を、クランク部（図示せず）に設けられたクランクロッド７６ａより第１アーム７０に伝達する。
第１アーム７０と第２アーム８０は、左右に夫々設けられており、第２アーム８０は、施療子８１（８１ａ，８１ｂ）を有している。
なお、以降の第１アーム７０及び第２アーム８０の説明は、左右で同じ構成となっているので、左側の第１アーム７０及び第２アーム８０を基準に説明を行う。
【００４１】
図５は本発明の実施形態に係るマッサージ機構６の第１アーム７０と第２アーム８０を示す図である。図５ａは、第２アーム８０を示す図である。図５ｂは、第１アーム７０を示す図である。図５ｃは、第１アーム７０と第２アーム８０を組合わせた状態の図である。  図６は本発明の実施形態に係るマッサージ機構６の強弱調整機構９０を示す図である。
図６ａは、マッサージ機構６の第２アーム８０に設けた強弱調整機構９０が動作していない状態を示す図である。
図６ｂは、マッサージ機構６の第２アーム８０に設けた強弱調整機構９０を動作させた状態を示す図である。
【００４２】
前記１アーム７０には、第２アーム８０を揺動可能に設けられるように第一揺動軸７２と、第２アーム８０の揺動を規制する規制手段７３と、第２アーム８０を揺動から復帰させる付勢手段７４と、揉軸７１に連結連動される揉軸連結部７５と、叩軸７６にクランクロッド７６ａの端部を取り付ける叩軸連結部７７を有している。
また、第１アーム７０は、後述する揺動検出手段（肩位置検出手段）６４を有しており、第２アーム８０の揺動動作を検出している。
【００４３】
前記第１アーム７０は、使用者側を前端部７０ａとし、使用者から最も離れた部分を後端部７０ｂとしている。
前記前端部７０ａには、スリット７８が設けられており、前記スリット７８の間に第２アーム８０が設けられており、前記スリット７８と第２アーム８０を貫通し、第２アーム８０を揺動可能に支持する第一揺動軸７２が設けられている。
また、前端側には、第２アーム８０の揺動を規制する規制手段７３が設けられており、第２アーム８０が適切な揺動範囲で、揺動するようになっている。
また、前記第２アーム８０を揺動状態から復帰させる付勢手段７４が設けられており、揺動状態の第２アーム８０を元の位置に復帰させることができる。
【００４４】
また、スリット７８には、揺動検出手段（肩位置検出手段）６４が設けられており、第２アーム８０の揺動を検出できるようになっている。揺動検出手段（肩位置検出手段）６４は、光学式のセンサを用いており、センサのオンオフで第２アーム８０の揺動状態を検出している。
前記揺動検出手段（肩位置検出手段）６４は、第１アーム７０のスリット７８の内部で対向するように設けられている。第２アーム８０が、前記スリット７８内で揺動することによって、光センサの発光部と受光部の間を通り、オンとオフが切り替わり、第２アーム８０の揺動を検出できるようになっている。
また、昇降機構の昇降動作によって身体の起伏に沿って第２アーム８０を揺動させ、身体の起伏を検出するので、肩位置のみに限らず、臀部や腰、背中等の位置検出も行うことができる。
【００４５】
前記第１アーム７０の後端部７０ｂには、球状の凹部が設けられており、叩軸７６のクランク部（図示せず）に設けられたクランクロッド７６ａの端部が連結される球状座７９が設けられている。
クランクロッド７６ａの端部は、球状となっており、第１アーム７０の球状座７９と嵌合することで、前記クランクロッド７６ａからの叩きマッサージ動作を伝達することが可能となっている。
叩きマッサージ動作を伝達するクランクロッド７６ａを第１アームの後端側に設けた球状座７９に連結させることで、前端部７０ａに設けられた第２アーム８０をてこの原理で大きく叩き動作することができるようになる。
【００４６】
また、第１アーム７０の揉軸連結部７５は、前端部７０ａと後端部７０ｂの間に設けられている。
第１アーム７０は前述の通り、揉軸７１の偏角部（図示せず）に設けられており、揉軸７１の回転により揉みマッサージ動作を伝達できるようになっている。
前記揉軸連結部７５は、偏角カム７５ａと、ベアリング７５ｂとで構成されることで、揉軸７１と連結され、揉み動作が可能となっている。
【００４７】
前記第２アーム８０は、第１アーム７０に揺動可能に設けられ、上下一対の施療子８１（８１ａ，８１ｂ）と、強弱調整機構９０を有している。
具体的には、第２アーム８０は、第一施療子支持体８２と、強弱調整機構９０によって被施療者に対して進退出する第二施療子支持体８３を有している。
前記第一施療子支持体８２は、前記第一揺動軸７２を通す貫通孔８４と、前記強弱調整機構９０を取付ける第一取付部８５と、前記第二施療子支持体８３と前記第一施療子８１ａを同軸上に設けた第二揺動軸８６の貫通孔８７とを有している。
第一施療子支持体８２は、扁平な板材を組合わせて形成されており、前記第一取付部８５と第二揺動軸８６の貫通孔８７は、第二施療子支持体８３と対向する前面に設けられており、後面には、強弱調整機構９０の配管を通す孔と、前記第一揺動軸７２を通す貫通孔８４が設けられている。
前記第一取付部８５は、第一施療子支持体８２の前面に取り付けられており、第一取付部８５よりも下方に第二施療子支持体８３と第一施療子８１ａが第二揺動軸８６によって取り付けられている。
【００４８】
また、第二施療子支持体８３は、第二揺動軸８６の貫通孔８７と、第二施療子８１ｂ
の取付部である第二取付部８８を有している。
第二施療子支持体８３は、第二揺動軸８６の貫通孔８７と第二取付部８８が前面に設けられており、前記第一施療子支持体８２の前面と対向する後面には、前記強弱調整機構９０からの駆動力を受ける面が設けられている。
また、第二揺動軸８６の貫通孔８７は、前記第二施療子支持体８３の前面の下方に設けられており、前記第二取付部８８は、前記第二施療子支持体８３の前面の上方に設けられている。
また、前記強弱調整機構９０からの駆動力を受ける面は、第二施療子８１ｂに駆動力を伝達しやすいように、第二取付部８８の後面に位置している。
また、第二揺動軸８６には、第二施療子支持体８３が前記強弱調整機構９０によって揺動した状態から復帰するための付勢手段（図示せず）が設けられており、前記強弱調整機構９０が動作しない状態では、第一施療子支持体８２に沿った状態で保持されている。
【００４９】
また、第二施療子支持体８３は、カバー部８９を有しており、前記カバー部８９は、第二施療子支持体８３に設けられており、第二施療子支持体８３を覆うような大きさとなっている。また、前記カバー部８９は、第２アーム８０と背凭れ部２などの他部材との干渉を防ぐために設けられている。第２アームは、強弱調整機構９０を設けることで、左右方向の幅が増えており、背凭れ部２の開口と干渉し、強弱調整機構９０が擦れて損傷してしまう恐れがあるので、カバー部８９を設けることで強弱調整機構９０の損傷を防いでいる。
【００５０】
また、強弱調整機構９０を動作させた場合であっても、第一施療子８１ａと前記第二施療子８１ｂの相対的距離は保持されたままとなっている。これは、第二施療子支持体８３の下部が、第一施療子８１ａとともに第二揺動軸８６上に設けられており、第二施療子支持体８３の上部に第二施療子８１ｂが設けられており、この状態のまま強弱調整機構９０が第二施療子支持体８３の第二揺動軸８６を支点に揺動させるので、第一施療子８１ａと第二施療子８１ｂの距離が保持される。
例えば、第一施療子８１ａと第二施療子８１ｂの距離が変更されてしまうと、第一施療子８１ａと第二施療子８１ｂが接近した状態となり、掴み動作となるため、施療動作の変更となってしまい、施療中のマッサージ動作の強弱を調整することができない。
このように第一施療子８１ａと第二施療子８１ｂの距離を保持することで、同一種類のマッサージ動作を強弱調整できるようになる。
【００５１】
前記強弱調整機構９０は、蛇腹状のエアセル３０１ａ(３０１ｂ)よりなり、第一施療子支持体８２の第一取付部８５に設けられている。
また、第一取付部８５には、配管を通す孔があり、蛇腹状のエアセル３０１ａ(３０１ｂ)の給排気口がそこから出されている。
前記強弱調整機構９０は、前記第一施療子８１ａ側に揺動支点を有しており、エアの給気によって、被施療者側へ揺動を行う。
また、前記蛇腹状のエアセル３０１ａ(３０１ｂ)は、施療用のエアセル（３０２ａ等）に比べて小さくなっていることが好ましい。エアセルを小さくすることで、少ないエア量で膨張状態とすることができ、応答速度の速い強弱調整が可能となっている。
【００５２】
また、蛇腹状のエアセル３０１ａ(３０１ｂ)の給排気口につながれているエア配管（図示せず）は、座部３の下方にある給排気装置３２へと繋がっている。
前記エア配管の途中には、絞り３７ａが配置されており、強弱調整機構９０の蛇腹状のエアセル３０１ａ(３０１ｂ)へのエアの流入流出量を抑制している。
強弱調整機構９０の蛇腹状のエアセル３０１ａ(３０１ｂ)は、他のエアセルに比べて小さいサイズであるため、通常のエアセルと同じ様にエアを入れてしまうと反応速度が速すぎてしまうため、絞り３７ａを設けてエアの流入流出を抑制している。
【００５３】
前記絞り３７ａ（３７ｂ，３７ｃ）は、エア配管とエア配管の途中に配置できるように、配管と配管を繋ぐ管状部材で形成されている。
また、絞り３７ａ（３７ｂ，３７ｃ）は流路の途中で単に内径を縮小させた形状となっていてもいいし、内径を徐々に小さくしていくような形状となっていてもよい。
例えば、強弱調整機構９０側（エアの流出側）から見た絞り３７ａ（３７ｂ，３７ｃ）の内径は、単に内径を縮小させた形状とし、給排気装置３２側（エア流入側）から見た絞り３７ａ（３７ｂ，３７ｃ）の内径は、強弱調整機構９０に向かって徐々に小さくしていくような形状とした場合は、エアの流入は、エアの流出に比べて早く、エアの流出は、エアの流入に比べて遅いといった変化を付けることができる。
【００５４】
図７は、本発明の実施形態に係るマッサージ機１の動作を示す図であり、マッサージ機構６の左右一対の施療子８１を利用して、揉みマッサージを行っている図である。図７ａでは、マッサージ機構６の左右一対の施療子８１の間隔が広い状態をＡ位置とし、マッサージ機構６の左右一対の施療子８１の間隔が狭い状態をＢ位置としている。
図７ｂの表では、第１動作ステップ，第２動作ステップ，第３動作ステップ中に、左右の施療子８１がＡ位置からＢ位置へ移動する様子を示している。
図７ｃの表では、第１動作ステップ，第２動作ステップ，第３動作ステップ中の強弱調整機構９０のエア量を示している。
【００５５】
マッサージ機１の制御部３１は、左右一対の施療子８１を第１施療位置と第２施療位置との間を移動させる第１プログラムと、前記強弱調整機構９０を第１プログラムに合わせて動作させる第２プログラムを有している。なお、第１施療位置は、図７のＢ位置にあたり、第２施療位置は、図７のＡ位置にあたる。第１プログラムでは、揉み動作を行なっている。揉み動作を行なうと、施療子８１は、被施療者に対して略水平方向に動作し、図７で示す、Ａ位置からＢ位置またはＢ位置からＡ位置を略円状に移動しながら揉み動作を行なう。なお、Ａ位置は、マッサージ機構６の左右一対の施療子８１が離間しており、左右一対の施療子８１の間隔が広い状態であり、Ｂ位置は、マッサージ機構６の左右一対の施療子８１が近接しており、左右一対の施療子８１の間隔が狭い状態をとなっている。
第２プログラムは、前記第１プログラムに合わせて強弱調整機構９０を動作させている。第２プログラムは、前記第１プログラムに合わせて徐々に被施療者に対して左右一対の施療子８１を進出させる第一動作ステップと、被施療者に対して左右一対の施療子８１を進出させ、その状態を維持したまま、第１プログラムを実行する第二動作ステップと、前記第１プログラムに合わせて徐々に被施療者に対して左右一対の施療子８１を退出させる第三動作ステップと、を含むプログラムである。
詳しくは、強弱調整機構９０を利用しながら揉み動作を行い、Ａ位置からＢ位置又はＢ位置からＡ位置への移動時にエアを流入流出させて揉み動作を行なっている。前記第一動作ステップでは、Ａ位置からＢ位置へ移動させる際に強弱調整機構９０のエアセルにエアを流入させ、Ｂ位置到達の際には、強弱調整機構９０のエアセルは最大膨張状態となっている。また、Ａ位置からＢ位置又はＢ位置からＡ位置への移動は、被施療者の背面に対して略左右方向の動作であって、強弱調整機構９０の動作は、被施療者の背面に対して施療子８１を進退出させる略垂直方向の動作である。前記略左右方向動作の移動成分と前記略垂直方向動作の移動成分を組合せることで、施療子８１は、被施療者に対して斜め方向に動作することとなる。前記斜め方向の動作で被施療者に施療を行うと、施療箇所付近の肉を寄せながら施療を行うことが可能となり、効果的なマッサージが行える。
前記第二動作ステップでは、強弱調整機構９０のエアセルを膨張させたまま、Ｂ位置からＡ位置又はＡ位置からＢ位置への移動を繰り返し行っている。前記第三動作ステップでは、Ｂ位置からＡ位置へ向かう際に、強弱調整機構９０のエアセルのエアを流出させ、Ａ位置到達の際には、強弱調整機構９０のエアセルは膨張していない状態となっている。
言い換えると、第一動作ステップは、身体の外側から背骨側へ移動しながら揉み動作の圧力を徐々に強くしていく動作であり、第二動作ステップは、同じ揉み圧で身体の外側から内側（又は内側から外側）に対して複数回揉み動作を行なう揉み動作であり、第三動作ステップは、身体の内側から外側へ移動しながら揉み圧を徐々に弱くしていく揉み動作である。
また、Ａ位置からＢ位置への移動又はＢ位置からＡ位置への移動、強弱調整機構９０のエアセルにエアを流入流出させるタイミングは、実施例だけに限らず、適宜設定することができる。
このような強弱調整機構９０のプログラムを設けることで、指圧マッサージを行ないながら、他のマッサージを行うことができるので、マッサージの手法が増え、バリエーションに富んだマッサージを行うことができる。
【００５６】
図８は本発明の実施形態に係るマッサージ機１の動作を示す図であり、マッサージ機構６の左右一対の施療子８１を利用して、指圧マッサージを行っている図である。
図８ａは、施療子の位置を示しており、Ｃ位置、Ｄ位置、Ｅ位置が示されている。なお、Ｃ位置は、左右一対の施療子８１が被施療者の背骨に近い位置であり、Ｂ位置とＣ位置は、左右一対の施療子８１が被施療者の身体の側面と背骨との中間位置にある。
図８ｂは、第１動作ステップ，第２動作ステップ，第３動作ステップ中に、左右の施療子８１がＣ位置，Ｄ位置，Ｅ位置へ移動する様子を示している。
図８ｃは、第１動作ステップ，第２動作ステップ，第３動作ステップ中の強弱調整機構９０のエア量を示している。
【００５７】
マッサージ機１の制御部３１は左右一対の施療子８１を第１施療位置と第２施療位置との間を移動させる第１プログラムと、前記強弱調整機構９０を第１プログラムに合わせて動作させる第２プログラムを有している。なお、第１施療位置は、図８のＣ位置にあたり、第２施療位置は、図８のＤ位置とＥ位置にあたる。
第１プログラムでは、施療子８１を、被施療者に対して略水平方向に動作させ、図８で示す、Ｃ位置、Ｄ位置、Ｅ位置に施療子８１を移動させる動作を行なう。Ｃ位置は、マッサージ機構６の左右一対の施療子８１が近接しており、左右一対の施療子８１同士の間隔が狭い状態であり、Ｄ位置とＥ位置は、マッサージ機構６の左右一対の施療子８１が離反しており、左右一対の施療子８１の間隔が広い状態である。
第２プログラムは、前記第１プログラムに合わせて強弱調整機構９０を動作させている。第２プログラムは、前記第１プログラムに合わせて徐々に被施療者に対して左右一対の施療子８１を進出させる第一動作ステップと、前記第１プログラムを一時停止させ、被施療者に対して左右一対の施療子８１を進出させた状態を維持する第二動作ステップと、前記第１プログラムに合わせて徐々に被施療者に対して左右一対の施療子８１を退出させる第三動作ステップと、を含むプログラムである。
詳しくは、左右一対の施療子８１をＣ位置、Ｄ位置、Ｅ位置に移動させながら強弱調整機構９０を膨張収縮させることで、指圧動作を行なっている。
第一動作ステップでは、施療子８１がＣ位置からＤ位置へ移動し、Ｃ位置からＤ位置に移動する際に強弱調整機構９０にエアを流入させ、Ｄ位置に到達の際には、強弱調整機構９０のエアセルは膨張している状態となっている。また、Ｃ位置からＤ位置への移動又はＤ位置からＣ位置への移動、Ｃ位置からＥ位置への移動又はＥ位置からＣ位置への移動は、被施療者の背面に対して略左右方向の動作であって、強弱調整機構９０の動作は、被施療者の背面に対して施療子８１を進退出させる略垂直方向の動作である。前記略水平方向動作の移動成分と前記略垂直方向動作の移動成分を組合せることで、施療子８１は、斜め方向に動作することとなる。前記斜め方向の動作で被施療者に施療を行うと、施療箇所付近の肉を寄せながら施療を行うことが可能となり、効果的なマッサージが行える。第二動作ステップでは、強弱調整機構９０のエアセルを膨張させた状態で左右一対の施療子８１の移動動作を一時停止させている。第三動作ステップでは、左右一対の施療子８１がＤ位置からＣ位置へ移動し、Ｄ位置からＣ位置に移動する際に強弱調整機構９０のエアを流出させ、Ｃ位置へ到達する際には、強弱調整機構９０のエアセルは収縮している状態となっている。なおＣ位置からＥ位置，Ｅ位置からＣ位置の施療子８１の移動と、エアセルの膨張タイミングは、Ｃ位置からＤ位置，Ｄ位置からＣ位置の動作と同じなので、説明は省略する。また、Ｃ位置では、強弱調整機構９０のエア量が最小状態となっており、Ｄ位置及びＥ位置では、強弱調整機構９０のエア量が最大状態となっており、施療子８１はＤ位置及びＥ位置で移動動作を停止する。
言い換えると、第一動作ステップは、施療子８１が被施療者の背骨側の位置から、被施療者の身体の外側と背骨との中間位置に移動しながら指圧動作の圧力を徐々に強くする動作であり、第二動作ステップは、前記指圧の圧力を維持した状態で施療子８１の移動を止めて、中間位置に指圧する動作であり、第三動作ステップは、施療子８１が中間位置から背骨側の位置へ移動しながら、指圧動作の圧力を徐々に弱くする動作である。
また、Ｃ位置からＤ位置への移動又はＤ位置からＣ位置への移動、Ｃ位置からＥ位置への移動又はＥ位置からＣ位置への移動、強弱調整機構９０のエアセルにエアを流入流出させるタイミングは、実施例だけに限らず、適宜設定することができる。
このような強弱調整機構９０のプログラムを設けることで、指圧マッサージを行ないながら、他のマッサージを行うことができるので、マッサージの手法が増え、バリエーションに富んだマッサージを行うことができる。
【００５８】
図９は、本発明の別実施形態に係る強弱調整機構９０を示す図である。
図９では、強弱調整機構９０をエアセルから別の駆動手段に変更したものであり、
第一施療子支持体８２の後面に駆動用のモータ９３を設けて、第二施療子支持体８３をネジ棒式アクチュエータ９２で駆動させる構成のものである。
図９ａは、本発明の別実施例である強弱調整機構９０が動作していない状態を示す図である。
図９ｂは、本発明の別実施例である強弱調整機構９０が動作したときの状態を示す図である。
【００５９】
図９ａの、第一施療子支持体８２の後面に駆動用のモータ９３を設けて、第二施療子支持体８３をネジ棒式アクチュエータ９２で駆動させる構成のものである。
前記ネジ棒式のアクチュエータ９２は、第一施療子支持体８２の後面に設けられている。
ネジ棒式のアクチュエータ９２は、モータ９３と、ネジ棒９４と、モータ９２からの駆動力を伝達する伝達部９５を有しており、前記モータの駆動によって、ネジ棒９４を被施療者側に移動させて、第二施療子支持体８３を揺動させる。
このような構成とすることで、被施療者に対して施療子８１を進退出させることができ、マッサージ動作の強弱を調整することができる。
【００６０】
図１０は、本発明の別実施形態に係る強弱調整機構９０を示す図である。
図１０ａは、本発明の別実施例である強弱調整機構９０が動作していない状態を示す図である。
図１０ｂは、別実施形態の強弱調整機構９０が動作している状態を示す図である。
なお、破線は、図１０ａの強弱調整機構９０が動作していない状態を示している。
【００６１】
別実施形態に係るマッサージ機構６は、揉みや叩きのマッサージ動作を伝達する第１アーム７０と、被施療者の身体の起伏に沿って揺動する第２アーム８０と、を有し、前記第２アーム８０は、施療子８１（８１ａ，８１ｂ）と、前記施療子８１（８１ａ，８１ｂ）を被施療者に対して進退出させる強弱調整機構９０を有している。
前記強弱調整機構９０は、強弱調整部９６と、伝達部９７とを有している。強弱調整部９６は、円形状の偏心カムであって、マッサージ機構６の揉軸７１の偏角部に固定されている。
また、前記偏心カムの偏心量によって、第２アームを被施療者に対して進退出させる量が決定される。
前記伝達部９７は、一端を第１アーム７０に固定しており、多端を第２アーム８０に固定している。なお中途部には、偏心カムと接触し、偏心カムの外周を転動するローラ９８が設けられており、前記ローラ９８が、偏心カムに接触することで、第２アーム８０を被施療者に対して進退出させることが可能となっている。
【００６２】
また、図１０で示す強弱調整機構９０は、揉軸７１の回転動作によって、強弱調整を行っているので、揉みや指圧マッサージに合わせて施療子８１を被施療者に対して進退出させることができる。例えば、図７や図８で示したような、動作が可能である。
【産業上の利用可能性】
【００６３】
被施療者に対して施療子８１を進退出させる強弱調整機構９０を小型化し、強弱調整の応答速度を早くし、厚みの少ないマッサージ機を提供することが可能である。
【符号の説明】
【００６４】
１  マッサージ機
２  背凭れ部
３  座部
４  フットレスト
５  肘掛け部
６  マッサージ機構
３１  制御部
７０  第１アーム
７２  第一揺動軸
８０  第２アーム
８１  施療子
８１ａ  第一施療子
８１ｂ  第二施療子
８２  第一施療子支持体
８３  第二施療子支持体
８５  第一取付部
８６  第二揺動軸
８８  第二取付部
８９  カバー部
９０  強弱調整機構
【図１】
0006052760.tif 000002
【図２】
0006052760.tif 000003
【図３】
0006052760.tif 000004
【図４】
0006052760.tif 000005
【図５】
0006052760.tif 000006
【図６】
0006052760.tif 000007
【図７】
0006052760.tif 000008
【図８】
0006052760.tif 000009
【図９】
0006052760.tif 000010
【図１０】
0006052760.tif 000011